(57)【要約】【課題】ボイラシステム１が第１状態から第２状態への変化時に、必要以上のボイラが燃焼し、ヘッダ圧力がオーバーシュートし、圧力が不安定になることを防ぐ。【解決手段】ヘッダ圧力値に基づいてボイラ群の燃焼状態を制御する台数制御部４を備えるボイラシステム１において、台数制御部４は、ヘッダ圧力値がゼロ又は第１圧力値未満の状態において、台数制御を停止した状態又は全ボイラの運転スイッチがオフの状態である第１状態から台数制御が停止しておらずかつ少なくとも１台のボイラの運転スイッチがオンの状態である第２状態への変化を検出する台数制御始動検出部４１と、台数制御始動検出部により変化が検出された場合、第１蒸気量を確保できる最小台数分のボイラ又は予め設定された台数分のボイラを燃焼制御対象とする始動時台数制御部４２と、を備える。【選択図】図４
2017026200.tif 000002
【特許請求の範囲】
【請求項１】
複数のボイラからなるボイラ群と、
前記ボイラ群において生成された蒸気を集合させる蒸気ヘッダと、
前記蒸気ヘッダの内部の蒸気圧値であるヘッダ圧力値を測定する蒸気圧測定手段と、
前記ヘッダ圧力値に基づいて前記ボイラ群の燃焼状態を制御する台数制御部と、
を備えるボイラシステムであって、
前記台数制御部は、
前記ヘッダ圧力値がゼロ又は予め設定された第１圧力値未満の状態において、台数制御を停止した状態又は全ボイラの運転スイッチがオフの状態である第１状態から台数制御が停止しておらずかつ少なくとも１台のボイラの運転スイッチがオンの状態である第２状態への変化を検出する台数制御始動検出部と、
前記台数制御始動検出部により前記変化が検出された場合、予め設定された第１蒸気量を確保できる最小台数分の前記ボイラ又は予め設定された第１台数分の前記ボイラを燃焼制御対象とする始動時台数制御部と、
を備える、ボイラシステム。
【請求項２】
前記台数制御部は、さらに、
前記始動時台数制御部による前記ボイラ群の燃焼状態の制御が開始された後、予め設定された第１時間が経過した第１検出状態を検出する第１検出部と、
前記第１検出部により前記第１検出状態が検出された場合に前記始動時台数制御部による制御を終了させる始動時制御停止部と、を備える請求項１に記載のボイラシステム。
【請求項３】
前記台数制御部は、さらに、
前記始動時台数制御部による前記ボイラ群の燃焼状態の制御が開始された後、前記ヘッダ圧力値が予め設定された台数制御圧力帯域に到達し、その後前記ヘッダ圧力値が前記台数制御圧力帯域の範囲内で予め設定された第２時間継続する第２検出状態を検出する第２検出部と、
前記第２検出部により前記第２検出状態が検出された場合に前記始動時台数制御部による制御を終了させる始動時制御停止部と、を備える請求項１に記載のボイラシステム。
【請求項４】
前記台数制御部は、さらに、
前記始動時台数制御部による前記ボイラ群の燃焼状態の制御が開始された後、前記ボイラが１００％燃焼かつ蒸気を給蒸可能な状態が予め設定された第３時間を経過しても、前記ヘッダ圧力値が予め設定された台数制御圧力帯域に到達しない第３検出状態を検出する第３検出部と、
前記第３検出部により前記第３検出状態が検出された場合に前記始動時台数制御部による制御を終了させる始動時制御停止部と、を備える請求項１に記載のボイラシステム。
【発明の詳細な説明】
【技術分野】
【０００１】
本発明は、複数のボイラからなるボイラ群を備えるボイラシステムに関する。
【背景技術】
【０００２】
従来、複数のボイラからなるボイラ群を燃焼させて生成された蒸気を蒸気ヘッダに集合させて、蒸気ヘッダの内部の蒸気圧（以下「ヘッダ圧力」ともいう）であるヘッダ蒸気圧値（以下「ヘッダ圧力値」ともいう）に基づいてボイラ群の燃焼状態を制御する台数制御装置を備えるボイラシステムが知られている。
このようなボイラシステムにおいて、例えば工場停止等によりボイラ全台が停止し、かつヘッダ圧力が無圧状態でボイラ群の燃焼状態を制御する台数制御を始動させた場合、始動時は暖気運転のため、数台の燃焼で十分な蒸気供給が賄える状態であったとしても、ヘッダ圧力が所定の設定圧力を大幅に下回っているため、台数制御装置から全ボイラに対して燃焼指示が行われることがある。
このため、必要以上のボイラが燃焼してしまうことで、ヘッダ圧力がオーバーシュートし、圧力安定性が悪化することがある。また、本来は、燃焼が不要なボイラが燃焼することにより、システム効率も悪化することがある。
例えば、特許文献１には、ボイラシステムの初起動時に運転するボイラの台数を制限するようにしておき、初起動時から設定時間が経過後、若しくは燃焼指令が減少した後に、運転ボイラの台数制限を解除する制御を行う多缶設置ボイラが記載されている。
【先行技術文献】
【特許文献】
【０００３】
【特許文献１】特開２０１３−０８８１０６号公報
【発明の概要】
【発明が解決しようとする課題】
【０００４】
ところで、特許文献１に記載されたボイラシステムでは、ボイラシステムの初起動時に運転するボイラの台数を制限することは記載されているものの、どのような状態を「初起動時」というのか、その具体的な状態については言及されていない。
また、特許文献１に記載されたボイラシステムでは、初起動時から設定時間が経過後、若しくは燃焼指令が減少した後に、運転ボイラの台数制限を解除することが記載されているに過ぎず、それ以外の具体的な条件については何ら言及されていない。
【０００５】
本発明は、予め設定された所定の条件を満たす状態で、ボイラシステムの台数制御を始動させた場合においても、始動時の台数制御を実行することで、必要以上のボイラが燃焼し、ヘッダ圧力がオーバーシュートし、圧力が不安定になることを防ぐとともに、本来は、燃焼が不要なボイラを燃焼させないことにより省力化を図り、システム効率を向上させるボイラシステムを提供することを目的とする。
【課題を解決するための手段】
【０００６】
本発明は、複数のボイラからなるボイラ群と、前記ボイラ群において生成された蒸気を集合させる蒸気ヘッダと、前記蒸気ヘッダの内部の蒸気圧値であるヘッダ圧力値を測定する蒸気圧測定手段と、前記ヘッダ圧力値に基づいて前記ボイラ群の燃焼状態を制御する台数制御部と、を備えるボイラシステムであって、前記台数制御部は、前記ヘッダ圧力値がゼロ又は予め設定された第１圧力値未満の状態において、台数制御を停止した状態又は全ボイラの運転スイッチがオフの状態である第１状態から台数制御が停止しておらずかつ少なくとも１台のボイラの運転スイッチがオンの状態である第２状態への変化を検出する台数制御始動検出部と、前記台数制御始動検出部により前記変化が検出された場合、予め設定された第１蒸気量を確保できる最小台数分の前記ボイラ又は予め設定された第１台数分の前記ボイラを燃焼制御対象とする始動時台数制御部と、を備える、ボイラシステムに関する。
【０００７】
また、前記台数制御部は、さらに、前記始動時台数制御部による前記ボイラ群の燃焼状態の制御が開始された後、予め設定された第１時間が経過した第１検出状態を検出する第１検出部と、前記第１検出部により前記第１検出状態が検出された場合に前記始動時台数制御部による制御を終了させる始動時制御停止部と、を備えることが好ましい。
【０００８】
また、前記台数制御部は、さらに、前記始動時台数制御部による前記ボイラ群の燃焼状態の制御が開始された後、前記ヘッダ圧力値が予め設定された台数制御圧力帯域に到達し、その後前記ヘッダ圧力値が前記台数制御圧力帯域の範囲内で予め設定された第２時間継続する第２検出状態を検出する第２検出部と、前記第２検出部により前記第２検出状態が検出された場合に前記始動時台数制御部による制御を終了させる始動時制御停止部と、を備えることができる。
【０００９】
また、前記台数制御部は、さらに、前記始動時台数制御部による前記ボイラ群の燃焼状態の制御が開始された後、前記ボイラが１００％燃焼かつ蒸気を給蒸可能な状態が予め設定された第３時間を経過しても、前記ヘッダ圧力値が予め設定された台数制御圧力帯域に到達しない第３検出状態を検出する第３検出部と、前記第３検出部により前記第３検出状態が検出された場合に前記始動時台数制御部による制御を終了させる始動時制御停止部と、を備えることが好ましい。
【発明の効果】
【００１０】
本発明のボイラシステムによれば、例えば、工場停止等によりボイラ全台が停止し、かつヘッダ圧力が無圧状態でボイラ群の燃焼状態を制御する台数制御を始動させた場合において、予め設定された第１蒸気量を確保できる最小台数分のボイラ又は予め設定された台数分のボイラを燃焼させることで、ヘッダ圧力がオーバーシュートし、圧力安定性が悪化することを防止できる。また、本発明のボイラシステムによれば、本来は、燃焼が不要なボイラが燃焼することによるシステム効率の悪化についても抑止することができる。
【図面の簡単な説明】
【００１１】
【図１】本発明の実施形態に係るボイラシステムの概略を示す図である。
【図２】本発明の一実施形態に係るボイラの概略を示す図である。
【図３】本発明の一実施形態に係るボイラの概略を示す図である。
【図４】本発明の一実施形態に係る台数制御部４の構成を示す機能ブロック図である。
【図５】本発明の一実施形態に係る台数制御部４の処理の流れを示すフローチャートである。
【図６】本発明非適用時の従来のボイラシステムの台数制御始動時の動作を示す図である。
【図７】本発明の一実施形態に係るボイラシステム１の動作を示す図である。
【発明を実施するための形態】
【００１２】
以下、本発明のボイラシステムの好ましい実施形態について、図面を参照しながら説明する。
まず、本発明の一実施形態に係るボイラシステム１の全体構成につき、図１を参照しながら説明する。
【００１３】
［一実施形態］
ボイラシステム１は、複数（６台）のボイラ２０を含むボイラ群２と、これら複数のボイラ２０において生成された蒸気を集合させる蒸気ヘッダ６と、この蒸気ヘッダ６の内部の圧力を測定する蒸気圧センサ７と、ボイラ群２の燃焼状態を制御する台数制御部４を有する台数制御装置３と、を備える。
【００１４】
ボイラ群２は、負荷機器としての蒸気使用設備１８に供給する蒸気を生成する。
蒸気ヘッダ６は、蒸気管１１を介してボイラ群２を構成する複数のボイラ２０に接続されている。この蒸気ヘッダ６の下流側は、蒸気管１２を介して蒸気使用設備１８に接続されている。
蒸気ヘッダ６は、ボイラ群２で生成された蒸気を集合させて貯留することにより、複数のボイラ２０の相互の圧力差及び圧力変動を調整し、圧力が調整された蒸気を蒸気使用設備１８に供給する。
【００１５】
蒸気圧センサ７は、信号線１３を介して、台数制御装置３に電気的に接続されている。蒸気圧センサ７は、蒸気ヘッダ６の内部の蒸気圧値（「ヘッダ圧力値」）を測定し、測定した蒸気圧値に係る信号（蒸気圧信号）を、信号線１３を介して台数制御装置３に送信する。
【００１６】
台数制御装置３は、信号線１６を介して、複数のボイラ２０と電気的に接続されている。この台数制御装置３は、蒸気圧センサ７により測定されるヘッダ圧力値に基づいて、各ボイラ２０の燃焼状態を制御する。
【００１７】
以上のボイラシステム１は、ボイラ群２で発生させた蒸気を、蒸気ヘッダ６を介して、蒸気使用設備１８に供給可能とされている。
ボイラシステム１において要求される負荷（要求負荷）は、蒸気使用設備１８における蒸気消費量である。台数制御装置３は、この蒸気消費量の変動に対応して生じる蒸気ヘッダ６の内部の蒸気圧（「ヘッダ圧力」）の変動を、蒸気圧センサ７が測定するヘッダ圧力値（物理量）に基づいて算出し、ボイラ群２を構成する各ボイラ２０の燃焼量を制御する。
【００１８】
具体的には、蒸気使用設備１８の需要の増大により要求負荷（蒸気消費量）が増加し、蒸気ヘッダ６に供給される蒸気量が不足すれば、蒸気ヘッダ６の内部の蒸気圧が減少することになる。一方、蒸気使用設備１８の需要の低下により要求負荷（蒸気消費量）が減少し、蒸気ヘッダ６に供給される蒸気量が過剰になればヘッダ圧力が増加することになる。従って、ボイラシステム１は、蒸気圧センサ７により測定されたヘッダ圧力値の変動に基づいて、要求負荷の変動をモニターすることができる。そして、ボイラシステム１は、ヘッダ圧力値に基づいて、蒸気使用設備１８の消費蒸気量（要求負荷）に応じて必要とされる蒸気量である必要蒸気量を算出する。
【００１９】
ここで、本実施形態のボイラシステム１を構成する複数のボイラ２０について説明する。
ボイラシステム１を構成する複数のボイラ２０は、複数の段階的な燃焼位置を有する段階値制御ボイラ又は連続制御ボイラにより構成することができる。また、ボイラシステム１を構成する複数のボイラ２０として、段階値制御ボイラと連続制御ボイラとが混在してもよい。
【００２０】
段階値制御ボイラとは、燃焼を選択的にオン／オフしたり、炎の大きさを調整すること等により燃焼量を制御して、選択された燃焼位置に応じて燃焼量を段階的に増減可能なボイラである。図２においては、ボイラ２０を４位置（燃焼停止位置、低燃焼位置、中燃焼位置及び高燃焼位置）制御ボイラとしている。
【００２１】
なお、段階値制御ボイラは、４位置制御に限定されない。段階値制御ボイラは、Ｎを任意の整数として、Ｎ位置制御すなわち、段階値制御ボイラの燃焼量を、燃焼停止状態を含めてＮ位置に段階的に制御可能なボイラ２０とすることができる。例えば、燃焼位置の個数は、２位置（つまり、オン／オフのみ）、３位置（燃焼停止位置、低燃焼位置、及び高燃焼位置）、又は５位置以上でもよい。
【００２２】
また、段階値制御ボイラからなる６台の各ボイラ２０においては、それぞれ、燃焼位置の段階数、各燃焼位置における燃焼量及び燃焼能力（高燃焼状態における燃焼量）は、異なることとしてもよい。
【００２３】
なお、段階値制御ボイラの燃焼又はその停止は、仮想ボイラ単位で扱うこともできる。仮想ボイラとは、ボイラにおける燃焼位置（燃焼量）の違い（低燃焼位置、中燃焼位置、高燃焼位置等）をそれぞれ独立したボイラとみなし、それぞれの出力蒸気量をボイラに仮想したものである。例えば、オン／オフボイラ（２位置ボイラ）であれば、仮想ボイラは、１台であり、実際の物理的なボイラ数と一致する。また、３位置ボイラは、物理的に１台であっても、低燃焼量ボイラと、（高燃焼量−低燃焼量）ボイラとの２台であると、仮想的に数えることができる。４位置ボイラは、低燃焼量ボイラ、（中燃焼量−低燃焼量）ボイラ、（高燃焼量−中燃焼量）ボイラの３台であると、仮想的に数えることができる。よって、３位置ボイラが低燃焼状態であれば、その低燃焼量ボイラに対して燃焼指示を行っていると、制御上扱うことができ、一方、その（高燃焼量−低燃焼量）ボイラに対して燃焼停止指示を行っていると、制御上扱うことができる。
【００２４】
また、連続制御ボイラとは、燃焼率を連続的に変更して燃焼可能な連続制御ボイラである。図３に示すように、少なくとも、最小燃焼状態Ｓ１（例えば、最大燃焼率の２０％の燃焼量における燃焼状態）から最大燃焼状態Ｓ２の範囲で、燃焼量が連続的に制御可能とされているボイラである。連続制御ボイラは、例えば、燃料をバーナに供給するバルブや、燃焼用空気を供給するバルブの開度（燃焼比）を制御することにより、燃焼量を調整するようになっている。
【００２５】
連続制御ボイラは、連続制御ボイラの燃焼停止状態Ｓ０と最小燃焼状態Ｓ１との間の燃焼状態の変更については、連続制御ボイラ（バーナ）の燃焼をオン／オフすることで制御される。そして、最小燃焼状態Ｓ１から最大燃焼状態Ｓ２の範囲においては、燃焼量が連続的に制御可能となっている。
なお、燃焼量を連続的に制御するとは、後述のローカル制御部における演算や信号がデジタル方式とされて段階的に取り扱われる場合（例えば、連続制御ボイラの出力（燃焼量）が１％刻みで制御される場合）であっても、事実上連続的に出力を制御可能な場合を含む。
【００２６】
より具体的には、連続制御ボイラには、変動可能な蒸気量の単位である単位蒸気量Ｕが設定されている。これにより、連続制御ボイラは、最小燃焼状態Ｓ１から最大燃焼状態Ｓ２の範囲においては、単位蒸気量Ｕ単位で、蒸気量を変更可能となっている。
ここで、単位蒸気量Ｕは、連続制御ボイラの最大燃焼状態Ｓ２における蒸気量（最大蒸気量）に応じて適宜設定できるが、ボイラシステムにおける出力蒸気量の必要蒸気量に対する追従性を向上させる観点から、連続制御ボイラの最大蒸気量の０．１％〜２０％に設定されることが好ましく、１％〜１０％に設定されることがより好ましい。
【００２７】
なお、連続制御ボイラからなる６台の各ボイラ２０においては、すべて同一のボイラ容量としてもよいが、ボイラ２０毎にその最小燃焼量、単位蒸気量、最大燃焼量としての燃焼能力が異なってもよい
【００２８】
複数のボイラ２０のそれぞれは、信号線１６を介して台数制御装置３と電気的に接続され、台数制御装置３の制御により燃焼状態（燃焼量）が制御される。
【００２９】
以上説明したボイラ２０は、図１に示すように、燃焼が行われるボイラ本体２１と、ボイラ２０の燃焼状態を制御するローカル制御部２２と、を備える。
ローカル制御部２２は、蒸気消費量に応じてボイラ２０の燃焼状態を変更させる。具体的には、ローカル制御部２２は、信号線１６を介して台数制御装置３から送信される制御信号又は運転者の手動操作により入力された制御信号に基づいて、ボイラ２０の燃焼状態を制御する。また、ローカル制御部２２は、台数制御装置３で用いられる信号を、信号線１６を介して台数制御装置３に送信する。台数制御装置３で用いられる信号としては、ボイラ２０の実際の燃焼状態、及びその他のデータ等が挙げられる。
【００３０】
以上のように構成されたボイラシステム１では、ボイラ群２で発生させた蒸気が、蒸気ヘッダ６を介して蒸気使用設備１８に供給される。
【００３１】
次に、台数制御装置３の詳細について説明する。
台数制御装置３は、蒸気圧センサ７からの蒸気圧信号に基づいて、要求負荷に応じたボイラ群２の必要燃焼量、及び必要燃焼量に対応する各ボイラ２０の燃焼状態を算出し、各ボイラ２０（ローカル制御部２２）に台数制御信号を送信する。この台数制御装置３は、図１に示すように、記憶部５と、台数制御部４と、を備える。
【００３２】
記憶部５は、台数制御装置３（台数制御部４）の制御により各ボイラ２０に対して行われた指示の内容や、各ボイラ２０から受信した燃焼状態等の情報、後述する第１圧力値、第１台数又は第１蒸気量、台数制御圧力帯域、第１時間、第２時間、第３時間等を記憶する。
【００３３】
台数制御部４は、信号線１６を介して各ボイラ２０に各種の指示を行ったり、各ボイラ２０から各種のデータを受信したりして、６台のボイラ２０の燃焼状態や優先順位を制御する。各ボイラ２０は、台数制御装置３から燃焼状態の変更指示の信号を受けると、その指示に従って当該ボイラ２０を制御する。
【００３４】
本実施形態では、台数制御部４は、ヘッダ圧力値がゼロ又は予め設定された所定の圧力値未満の状態で、台数制御を停止した状態又は全ボイラ２０の運転スイッチがオフの状態である第１状態から、台数制御が停止しておらずかつ少なくとも１台のボイラ２０の運転スイッチがオンの状態である第２状態に変化した場合に、ボイラ群２に対して、始動時の台数制御を実行することで、必要以上のボイラ２０が燃焼し、ヘッダ圧力がオーバーシュートし、圧力が不安定になることを防ぐものである。
【００３５】
このため、台数制御部４は、図４に示すように、台数制御始動検出部４１と、始動時台数制御部４２と、第１検出部４３と、第２検出部４４と、第３検出部４５と、始動時制御停止部４６と、を備える。
【００３６】
［台数制御始動検出部４１］
台数制御始動検出部４１は、ヘッダ圧力値がゼロ又は予め設定された第１圧力値未満の状態において、台数制御を停止した状態又は全ボイラ２０の運転スイッチがオフの状態である第１状態から、台数制御が停止しておらずかつ少なくとも１台のボイラ２０の運転スイッチがオンの状態である第２状態に変化したことを検出する。
【００３７】
［始動時台数制御部４２］
始動時台数制御部４２は、台数制御始動検出部４１により、ボイラシステムの状態が第１状態から第２状態に変化したことが検出された場合、予め設定された第１蒸気量を確保できる最小台数分のボイラ２０又は予め設定された第１台数分のボイラ２０を燃焼制御対象ボイラとする。
【００３８】
［第１検出部４３］
第１検出部４３は、第１検出状態を検出する。
ここで、第１検出状態とは、始動時台数制御部４２によるボイラ２０の燃焼が開始された後、予め設定された第１時間が経過した状態をいう。
【００３９】
［第２検出部４４］
第２検出部４４は、第２検出状態を検出する。
ここで、第２検出状態とは、始動時台数制御部４２によるボイラ２０の燃焼が開始された後、ヘッダ圧力値が台数制御圧力帯域に到達し、その後ヘッダ圧力値が台数制御圧力帯域の範囲内で予め設定された第２時間継続する状態をいう。
【００４０】
［第３検出部４５］
第３検出部４５は、第３検出状態を検出する。
ここで、第３検出状態とは、始動時台数制御部４２によるボイラ２０の燃焼が開始された後、ボイラ２０が１００％燃焼かつ蒸気を給蒸可能な状態が予め設定された第３時間を経過しても、ヘッダ圧力値が台数制御圧力帯域に到達しない状態をいう。
【００４１】
［始動時制御停止部４６］
始動時制御停止部４６は、第１検出部４３が第１検出状態を検出した場合、又は第２検出部４４が第２検出状態を検出した場合、又は第３検出部４５が第３検出状態を検出した場合、始動時台数制御部４２による制御を終了させる。そうすることで、台数制御部４０は、通常の台数制御に戻る。
【００４２】
次に、本実施形態のボイラシステム１の動作を実現するための処理の流れについて、図５を参照して説明する。図５は、ボイラシステム１の処理の流れを示すフローチャートである。
【００４３】
まず、ボイラシステム１のヘッダ圧力値は、ゼロ又は予め設定された第１圧力値未満の状態であって、台数制御を停止した状態又は全ボイラ２０の運転スイッチがオフの状態である第１状態にあるとする。
【００４４】
ＳＴ１において、台数制御始動検出部４１は、第１状態から、台数制御が停止しておらずかつ少なくとも１台のボイラ２０の運転スイッチがオンの状態である第２状態に変化したか否かを検出する。第２状態に変化したことを検出した場合（Ｙｅｓ）、ＳＴ２に進む。第２状態に変化したことを検出しない場合（Ｎｏ）、ＳＴ１に戻る。
【００４５】
ＳＴ２において、始動時台数制御部４２は、第１蒸気量を確保できる最小台数分のボイラ２０又は第１台数分のボイラ２０を燃焼制御対象ボイラとして、台数制御運転を開始する
【００４６】
ＳＴ３において、第１検出部４３は、始動時台数制御部４２による台数制御運転を開始してから、第１時間が経過したか否かを検出する。第１時間を経過した場合（Ｙｅｓ）、ＳＴ６に進む。第１時間を経過していない場合（Ｎｏ）、ＳＴ４に進む。
【００４７】
ＳＴ４において、第２検出部４４は、始動時台数制御部４２による台数制御運転を開始してから、ヘッダ圧力値が台数制御圧力帯域に到達し、その後ヘッダ圧力値が台数制御圧力帯域の範囲内で第２時間継続したか否かを検出する。ヘッダ圧力値が台数制御圧力帯域の範囲内で第２時間継続した場合（Ｙｅｓ）、ＳＴ６に進む。第２時間を継続していない場合（Ｎｏ）、ＳＴ５に進む。
【００４８】
ＳＴ５において、第３検出部４５は、始動時台数制御部４２による台数制御運転を開始してから、ボイラ２０が１００％燃焼かつ蒸気を給蒸可能な状態が第３時間を経過しても、ヘッダ圧力値が台数制御圧力帯域に到達していないか、どうかを検出する。第３時間を経過しても、ヘッダ圧力値が台数制御圧力帯域に到達していない場合（Ｙｅｓ）、ＳＴ６に進む。ヘッダ圧力値が台数制御圧力帯域に到達している場合（Ｎｏ）、ＳＴ３に戻る。
【００４９】
ＳＴ６において、始動時制御停止部４６は、始動時台数制御部４２による制御を終了させる。
【００５０】
ＳＴ７において、台数制御部４０は、通常の台数制御に復帰する。
以上のフローチャートにしたがって、ボイラシステム１による処理が実行される。
【００５１】
次に、本発明適用時の台数制御始動検出時の台数制御始動時の動作について、本発明非適用時の台数制御始動時の動作と比較して説明する。
【００５２】
図６及び図７に示すように、６台のボイラ２０からなるボイラ群を備え、各ボイラ２０の最大出力蒸気量（最大出力）が２０００ｋｇ／ｈ、また、第１台数を２台又は第１蒸気量を４０００ｋｇ／ｈとして予め設定された、ボイラシステム１をモデルとしている。
図６は、本発明非適用時の従来のボイラシステムの台数制御始動時の動作を表す。
【００５３】
最初に、図６を参照して、本発明非適用時の従来のボイラシステムの台数制御始動時の動作を説明する。
【００５４】
図６に示すように、時間Ｔ１において、ヘッダ圧力値がゼロの状態において、台数制御を停止した状態である第１状態から、台数制御が停止しておらずかつ少なくとも１台のボイラ２０の運転スイッチがオンの状態である第２状態に変化した。
【００５５】
そうすると、図６に示すように、時間Ｔ１において、ヘッダ圧力が所定の設定圧力を大幅に下回っているため、この段階で、蒸気使用量が３０００ｋｇ／ｈ（すなわち、１．５台相当）であっても、台数制御装置から全ボイラ２０に対して燃焼指示が行われる。その結果、全ボイラ２０が燃焼状態となる。
【００５６】
その後、蒸気使用量が依然として３０００ｋｇ／ｈであることから、ヘッダ圧力値が上昇する。そして、蒸気ヘッダ６に供給される蒸気量が過剰となると、時間Ｔ２において、台数制御装置から、３号機〜６号機を待機状態とする指示が行われる。
【００５７】
その後、蒸気使用量が３０００ｋｇ／ｈ(１．５台相当)から７０００ｋｇ／ｈ(３．５台相当)と増加すると、時間Ｔ３において、台数制御装置から、３号機及び４号機に対して燃焼指示が行われ、１号機〜４号機が燃焼状態に、５号機、６号機は、依然として待機状態のままとなる。
【００５８】
このように、本発明非適用時の台数制御始動時においては、本来は、燃焼が不要なボイラである５号機、６号機も燃焼することになる。このため、５号機、６号機は無駄に燃焼することとなり、システム効率が悪化する。
【００５９】
図７は、本発明適用時のボイラシステム１の台数制御始動検出時の台数制御始動時の動作を示す図である。
【００６０】
次に、図７を参照して、本発明適用時の台数制御始動検出時の台数制御始動時の動作を説明する。
図７に示すように、台数制御始動検出部４１は、時間Ｔ１において、ヘッダ圧力値がゼロの状態において、台数制御が停止された状態である第１状態から、台数制御が停止しておらずかつ少なくとも１台のボイラ２０の運転スイッチがオンの状態である第２状態に変化したことを検出する。
【００６１】
そうすると、図７に示すように、時間Ｔ１において、始動時台数制御部４２が起動され、始動時台数制御部４２から、予め設定されている第１台数分の２台のボイラ２０（１号機、２号機）に対して燃焼指示が行われる。
この段階で、蒸気使用量は３０００ｋｇ／ｈ（すなわち、１．５台相当）であることから、ヘッダ圧力値は上昇することとなる。
【００６２】
その後、蒸気使用量が依然として３０００ｋｇ／ｈであることから、ヘッダ圧力値は上昇を続け、時間Ｔ２においてヘッダ圧力値が台数制御圧力帯域に到達する。
【００６３】
その後、ヘッダ圧力値は台数制御圧力帯域の範囲内で変動し、時間Ｔ３において、第２検出部４４は、ヘッダ圧力値が台数制御圧力帯域に到達した時間Ｔ２から予め設定された第２時間を経過したことを検出する。
【００６４】
そうすると、図７に示すように、時間Ｔ３において、始動時制御停止部４６は、始動時台数制御部４２を停止することで、台数制御部４０は、通常の台数制御に復帰する。
【００６５】
その後、時間Ｔ４において、蒸気使用量が３０００ｋｇ／ｈ(１．５台相当)から７０００ｋｇ／ｈ(３．５台相当)に増加すると、台数制御装置から、３号機及び４号機に対して燃焼指示が行われ、１号機〜４号機が燃焼状態になる。なお、５号機、６号機は、依然として待機状態のままとなる。
【００６６】
このように、本発明適用時の台数制御始動時においては、例えば、工場停止等によりボイラ全台が停止し、かつヘッダ圧力が無圧状態でボイラ群２の燃焼状態を制御する台数制御を始動させた場合において、予め設定された台数分のボイラを燃焼させることで、ヘッダ圧力がオーバーシュートし、圧力安定性が悪化することを防止できる。また、本来は、燃焼が不要なボイラが燃焼することによるシステム効率の悪化についても抑止することが可能となる。
【００６７】
なお、図７においては、ヘッダ圧力値がゼロの状態において、台数制御始動検出部４１が第１状態から第２状態への変化を検出した以降のボイラシステム１の動作を説明したが、ヘッダ圧力値が予め設定された第１圧力値未満の状態において、台数制御始動検出部４１が第１状態から第２状態への変化を検出した以降のボイラシステム１の動作についても同様に説明される。
【００６８】
以上説明した、本実施形態のボイラシステム１によれば、以下のような効果を奏する。
【００６９】
台数制御部４は、ヘッダ圧力値がゼロ又は予め設定された第１圧力値未満の状態において、台数制御を停止した状態又は全ボイラの運転スイッチがオフの状態である第１状態から、台数制御が停止しておらずかつ少なくとも１台のボイラの運転スイッチがオンの状態である第２状態に変化したことを検出する台数制御始動検出部４１と、台数制御始動検出部４１により変化が検出された場合、予め設定された第１蒸気量を確保できる最小台数分のボイラ又は予め設定された台数分のボイラを燃焼制御対象とする始動時台数制御部４２と、を備える。
これにより、例えば、工場停止等によりボイラ全台が停止し、かつヘッダ圧力が無圧状態でボイラ群の燃焼状態を制御する台数制御を始動させた場合において、予め設定された第１蒸気量を確保できる最小台数分のボイラ又は予め設定された台数分のボイラを燃焼させることで、ヘッダ圧力がオーバーシュートし、圧力安定性が悪化することを防止できるとともに、本来は、燃焼が不要なボイラが燃焼することによるシステム効率の悪化についても抑止することができる。
【００７０】
また、台数制御部４は、始動時台数制御部４２による、ボイラ群２の制御運転を開始した後、予め設定された第１時間が経過した第１検出状態を検出する第１検出部４３と、第１検出部４３により第１検出状態が検出された場合に、始動時台数制御部４２による制御を終了させる始動時制御停止部４６と、を備える。
【００７１】
また、台数制御部４は、始動時台数制御部４２による、ボイラ群２の制御運転を開始した後、ヘッダ圧力値が台数制御圧力帯域に到達し、その後ヘッダ圧力値が台数制御圧力帯域の範囲内で予め設定された第２時間継続する第２検出状態を検出する第２検出部４４と、第２検出部４４により第２検出状態が検出された場合に始動時台数制御部４２による制御を終了させる始動時制御停止部４６と、を備える。
【００７２】
また、台数制御部４は、始動時台数制御部４２による、ボイラ群２の制御運転を開始した後、ボイラ２０が１００％燃焼しかつ蒸気を給蒸可能な状態が予め設定された第３時間を経過しても、ヘッダ圧力値が台数制御圧力帯域に到達しない第３検出状態を検出する第３検出部４５と、第３検出部４５により第３検出状態が検出された場合に始動時台数制御部４２による制御を終了させる始動時制御停止部４６と、を備える。
【００７３】
これにより、始動時台数制御部４２による、ボイラ群２の制御運転を開始した後、所定の時間が経過した後に、又はヘッダ圧力が台数制御圧力帯域に到達した後に台数制御圧力帯域内に所定の時間継続する場合に、若しくは、ボイラを１００％燃焼させて所定の時間経過しても、ヘッダ圧力が台数制御圧力帯域に到達しない場合に、通常運転に復帰させることができる。そうすることで、最小台数のボイラ群の燃焼から、必要な台数のボイラ群の燃焼へと移行することが可能となる。そして、燃焼が不要なボイラについては、通常運転移行後においても、待機のまま維持可能となるため、システム効率の向上を可能となる。
また、ヘッダ圧力を安定したまま、通常運転に移行することが可能となる。
【００７４】
以上、本発明のボイラシステム１の好ましい実施形態につき説明したが、本発明は、上述の実施形態に制限されるものではなく、適宜変更が可能である。
【００７５】
［変形例１］
本実施形態では、優先順位について触れなかったが、複数のボイラ２０に、それぞれ優先順位を設定するように構成することができる。ここで、優先順位は、台数制御装置３が、それぞれ、燃焼指示や燃焼停止指示を行うボイラ２０を選択するために用いられる。優先順位は、例えば整数値を用いて、数値が小さいほど優先順位が高くなるよう設定することができる。各ボイラに設定される優先順位は、記憶部５に記憶される。
優先順位が設定される場合、始動時台数制御部４２は、優先順位にしたがって、予め設定された第１蒸気量を確保できる最小台数分のボイラ２０又は予め設定された第１台数分のボイラ２０を選択するように構成することができる。
【００７６】
［変形例２］
本実施形態では、本発明を、６台のボイラ２０からなるボイラ群２を備え、暖気運転に必要な最小限の台数を２台とするボイラシステム１に適用したが、これに限らない。すなわち、本発明を、２台〜５台、又は７台以上のボイラからなるボイラ群を備えるボイラシステムに適用してもよい。
【符号の説明】
【００７７】
１  ボイラシステム
２  ボイラ群
２０  ボイラ
３  台数制御装置
４  台数制御部
４１  台数制御始動検出部
４２  始動時台数制御部
４３  第１検出部
４４  第２検出部
４５  第３検出部
４６  始動時制御停止部
５  記憶部
６  蒸気ヘッダ
７  蒸気圧センサ
【図１】
2017026200.tif 000003
【図２】
2017026200.tif 000004
【図３】
2017026200.tif 000005
【図４】
2017026200.tif 000006
【図５】
2017026200.tif 000007
【図６】
2017026200.tif 000008
【図７】
2017026200.tif 000009